(57)【要約】【課題】部品点数の低減、組立工数の低減及び簡素化によってコスト低減を図る。【解決手段】散水装置２１の散水部２３を、水を噴射させる噴射ノズル３６と、内周面にねじ山６２を有し回転することで噴射ノズル３６に対して相対的に移動する回転ヘッド３７と、この回転ヘッド３７に固定され一体になって回転することで噴射ノズル３６との相対位置が調整されて散水状態が切り換わるシャワーヘッド３８とからなる。回転ヘッド３７の内周面のねじ山６２を、２列以上に重ならないように、３６０度以内の範囲で成形した。本体部３５と噴射ノズル３６との間には、位置決め用嵌合部としての位置決め用切欠き４０と位置決め用嵌合凸部５０を設けた。板バネ部３１Ｃは回動支持軸３１Ａと一体成形した。【選択図】図１
2006315006.tif 000002
【特許請求の範囲】
【請求項１】
複数の散水状態で水を噴射させることができる散水部を備えた散水装置において、
前記散水部が、供給された水を噴射させる噴射ノズルと、内周面にねじ山を有し回転することで前記噴射ノズルに対して相対的に移動する回転ヘッドと、この回転ヘッドに固定され一体になって回転することで前記噴射ノズルとの相対位置が調整されて散水状態が切り換わるシャワーヘッドとを備えてなり、
前記回転ヘッドの内周面のねじ山を、２列以上に重ならないように、３６０度以内の範囲で成形したことを特徴とする散水装置。
【請求項２】
複数の散水状態で水を噴射させることができる散水部を備えた散水装置において、
前記散水部が、本体部と、この本体部に取り付けられ供給された水を噴射させる噴射ノズルと、回転することで前記噴射ノズルに対して相対的に移動する回転ヘッドと、この回転ヘッドに固定され一体になって回転することで前記噴射ノズルとの相対位置が調整されて散水状態が切り換わるシャワーヘッドとを備えてなり、
前記噴射ノズルと本体部との間に、これらを相互に取り付ける際に正確な位置決めを行う位置決め用嵌合部を設けたことを特徴とする散水装置。
【請求項３】
複数の散水状態で水を噴射させることができる散水部を備えた散水装置において、
前記散水部への水の供給量を調整する調整弁と、この調整弁の開度を調整するレバーと、このレバーを特定位置で固定して調整弁を解放状態に維持するストッパとを備え、
前記ストッパが、このストッパ自身を本体側に回動可能に支持する回動支持軸と、この回動支持軸に一体的に支持された状態で前記レバー側に設けられた切欠きに嵌合してこのレバーを特定位置で固定支持する切欠き嵌合軸と、この切欠き嵌合軸を待機状態に付勢する板バネ部とからなり、
前記板バネ部が前記回動支持軸に一体成形されたことを特徴とする散水装置。
【発明の詳細な説明】
【技術分野】
【０００１】
本発明は、ホースの先端に取り付けられて、噴射する水の状態を適宜調整しながら散水作業を行う散水装置に関する。
【背景技術】
【０００２】
従来の散水装置としては、図２に示す構成のものが一般に知られている。この散水装置は主に、手で持って散水装置を支持するための取っ手部１と、拡散、ストレート、シャワー等の各種の散水状態で水を噴射する散水部２とから構成されている。散水部２は、本体部３と、この本体部３に取り付けられて直接に水を噴射する噴射ノズル（図示せず）と、この噴射ノズルの外周に設けられたねじ部に螺合され回転することで噴射ノズルに対して相対的に移動する回転ヘッド４と、この回転ヘッド４に固定され一体になって回転することで噴射ノズルとの相対位置が調整されて散水状態が切り換わるシャワーヘッド５とから構成されている。回転ヘッド４は、図３に示すように、噴射ノズルに直接に螺合されて全体を支持する支持筒部１１と、先端に取り付けられるシャワーヘッド５の全体に水を供給するためのヘッド室１２とから構成されている。
【０００３】
支持筒部１１の内側には、噴射ノズルのねじ部に螺合するねじ山１４が形成されている。このねじ部１４は、３６０度を越えて２列に重なるように形成されている。
【０００４】
また、取っ手部１には、散水部２から噴出される水の量を調整するためのレバー１５が取り付けられている。
【発明の開示】
【発明が解決しようとする課題】
【０００５】
ところが、前記構成の散水装置では、支持筒部１１内のねじ山１４が３６０度を越えて２列に重なるように形成されているため、回転ヘッド４が型成形されるときには、型を支持筒部１１の軸芯方向に移動させると共に、回転させる必要がある。即ち、型を回転させながら往復動作させる必要があり、製造工程が複雑化してしまう。このため、製造コストが嵩んでしまうという問題点がある。
【０００６】
また、噴射ノズルは、本体部３に対して正確に位置合わせしてから取り付けなければならず、その位置合わせ作業が煩雑で、作業性が悪いという問題点がある。
【０００７】
一方、レバー１５にはストッパが設けられているものもある。このストッパは、噴射ノズルから水を連続的に出すために、レバー１５を引いた状態で固定するために用いるもので、各種のものがある。通常このストッパは、レバー１５を固定しないときには、待機状態となる。レバー１５を待機状態にする手段としては、一般に別部材のスプリングを設け、レバー１５を待機位置に付勢する手段がとられている。ところが、別部材としてスプリングを設けると、部品点数が増えると共に組立工数も増え、コストが嵩むという問題点がある。
【０００８】
本発明は以上述べたような問題点に鑑みてなされたもので、部品点数及び組立工数を減らし、かつ組立行程を簡素化してコストの低減を図った散水装置を提供することを目的とする。
【課題を解決するための手段】
【０００９】
前述した課題を解決するために第１の発明に係る散水装置は、複数の散水状態で水を噴射させることができる散水部を備えた散水装置において、前記散水部が、供給された水を噴射させる噴射ノズルと、内周面にねじ山を有し回転することで前記噴射ノズルに対して相対的に移動する回転ヘッドと、この回転ヘッドに固定され一体になって回転することで前記噴射ノズルとの相対位置が調整されて散水状態が切り換わるシャワーヘッドとを備えてなり、前記回転ヘッドの内周面のねじ山を、２列以上に重ならないように、３６０度以内の範囲で成形したことを特徴とする。
【００１０】
回転ヘッドの内周面のねじ山を、２列以上に重ならないように、３６０度以内の範囲で成形すると、回転ヘッドを型成形する際に、型を回転させる必要がなくなる。即ち、型を回転ヘッドの筒部の軸芯方向への往復動だけで、回転ヘッドを成形することができる。
【００１１】
第２の発明に係る散水装置は、複数の散水状態で水を噴射させることができる散水部を備えた散水装置において、前記散水部が、本体部と、この本体部に取り付けられ供給された水を噴射させる噴射ノズルと、回転することで前記噴射ノズルに対して相対的に移動する回転ヘッドと、この回転ヘッドに固定され一体になって回転することで前記噴射ノズルとの相対位置が調整されて散水状態が切り換わるシャワーヘッドとを備えてなり、前記噴射ノズルと本体部との間に、これらを相互に取り付ける際に正確な位置決めを行う位置決め用嵌合部を設けたことを特徴とする。
【００１２】
噴射ノズルと本体部との間に決め用嵌合部を設けることで、これらを相互に取り付ける際に容易に正確な位置決めを行う。
【００１３】
第３の発明に係る散水装置は、複数の散水状態で水を噴射させることができる散水部を備えた散水装置において、前記散水部への水の供給量を調整する調整弁と、この調整弁の開度を調整するレバーと、このレバーを特定位置で固定して調整弁を解放状態に維持するストッパとを備え、前記ストッパが、このストッパ自身を本体側に回動可能に支持する回動支持軸と、この回動支持軸に一体的に支持された状態で前記レバー側に設けられた切欠きに嵌合してこのレバーを特定位置で固定支持する切欠き嵌合軸と、この切欠き嵌合軸を待機状態に付勢する板バネ部とからなり、前記板バネ部が前記回動支持軸に一体成形されたことを特徴とする。
【００１４】
板バネ部を回動支持軸に一体成形して、部品点数及び組立工数を減らす。
【発明の効果】
【００１５】
（１）  型を回転ヘッドの筒部の軸芯方向への往復動だけで、回転ヘッドを成形することができるため、組立行程の簡素化を図ることができ、コスト低減を図ることができる。
【００１６】
（２）  回転ヘッドの内周面のねじ山を、２列以上に重ならないように、３６０度以内の範囲で成形したので、回転ヘッドを型成形する際に、型を回転させる必要がなくなる。これにより、組立行程の簡素化を図ることができ、コスト低減を図ることができる。
【００１７】
（３）  噴射ノズルと本体部との間に決め用嵌合部を設けたので、これらを相互に取り付ける際に容易に正確な位置決めを行うことができ、位置決め作業が簡素化して組立作業性が向上する。これにより、コスト低減を図ることができる。
【００１８】
（４）  板バネ部を回動支持軸に一体成形したので、部品点数及び組立工数を減らすことができ、コスト低減を図ることができる。
【発明を実施するための最良の形態】
【００１９】
以下、本発明の実施形態を添付図面を参照しながら説明する。図１は本実施形態に係る散水装置の回転ヘッドを示す側面断面図、図４は本実施形態に係る散水装置を示す側面断面図、図５は取っ手本体を示す側面断面図、図６はレバーを示す側面断面図、図７は止水ピストンを示す側面図、図８は止水ピストンを示す平面図、図９は可動ピストンを示す側面図、図１０はストッパを示す側面図、図１１はストッパを示す平面図、図１２は噴射ノズルを示す側面図、図１３は噴射ノズルを示す側面断面図、図１４は噴射ノズルの先端部を示す要部拡大断面図、図１５はミストキャップを示す側面図、図１６はミストキャップを示す平面図、図１７は回転ヘッドを示す平面図、図１８は散水部の先端部分を示す要部拡大断面図、図１９はヘッドカバーを示す側面図、図２０はヘッドカバーを示す側面断面図、図２１は噴霧、拡散、ストレート及びシャワーの各散水状態での噴射ノズルと回転ヘッドとシャワーヘッドとの相対位置関係を示す側面断面図である。
【００２０】
［構成］
本実施形態に係る散水装置２１は図４に示すように主に、手で持って散水装置２１を支持するための取っ手部２２と、拡散、ストレート、シャワー等の各種の散水状態で水を噴射する散水部２３とから構成されている。この散水装置２１は、全体を合成樹脂で成形されている。なお、散水装置２１の外観形状は、図２に示す従来の散水装置と同様である。
【００２１】
取っ手部２２は図４、図５及び図６に示すように主に、取っ手本体２４とレバー２５とグリップキャップ２６とから構成されている。
【００２２】
取っ手本体２４は、散水部２３の本体部３５と一体的に成形され、手で握って散水装置２１を支持すると共に内部に水を通す部分である。この取っ手本体２４は、水を通す内部流路２４Ａと、この内部流路２４Ａの途中に設けられた止水ピストン２８の弁座部２４Ｂと、この弁座部２４Ｂに当接した止水ピストン２８を開閉させるための可動ピストン２９を内部に収納して摺動可能に支持するピストン支持筒２４Ｃと、装着されるレバー２５を両側から挟むように配設されてレバー２５を回動可能に支持する二枚の支持板２４Ｄとから構成されている。二枚の支持板２４Ｄには、レバー２５を回動可能に支持するための支持孔２４Ｅと、後述するストッパ３１を回動可能に支持するストッパ支持孔２４Ｆと、ストッパ３１の回動角度を規制する円弧状の長孔２４Ｇとが形成されている。
【００２３】
レバー２５は、取っ手本体２４に回動可能に取り付けられ、手前に引く量（握る強さ）を調整することで、取っ手本体２４内を通る水量（ノズルから噴射させる水量）を調整するものである。このレバー２５の上部には回動用突起２５Ａが設けられている。この回動用突起２５Ａが、取っ手本体２４の支持板２４Ｄに設けられた支持孔２４Ｅに挿入されることで、レバー２５が二枚の支持板２４Ｄに回動可能に支持されるようになっている。レバー２５の上端部にはストッパ受け２５Ｂが形成されている。このストッパ受け２５Ｂは、ストッパ３１が嵌合して外れないように半円形状に切り欠いて構成されている。このストッパ受け２５Ｂにストッパ３１が嵌合することで、レバー２５を所定の角度で（レバー２５を一定量だけ引いた状態で）支持するようになっている。
【００２４】
グリップキャップ２６は、図４に示すように、取っ手本体２４の基端嵌合部２７（図中の下端部）に取り付けられ、一端が水道の蛇口に接続されたホース（図示せず）の他端が差し込まれるものである。このグリップキャップ２６は具体的には、ホース内に圧入されるホース側圧入部２６Ａと、取っ手本体２４の基端嵌合部２７に圧入される基端部側圧入部２６Ｂとから構成されている。
【００２５】
止水ピストン２８は、図４、図７及び図８に示すように、内部流路２４Ａ内に装着されている。この内部流路２４Ａは、弁座部２４Ｂを境に下方が大径に、上方が小径に形成されている。止水ピストン２８は、内部流路２４Ａの上方の小径流路に位置する小径挿入部２８Ａと、内部流路２４Ａの下方の大径流路に位置する大径挿入部２８Ｂと、小径挿入部２８Ａと大径挿入部２８Ｂとの間に設けられてＯリング２８Ｃを嵌合支持するＯリング溝２８Ｄとから構成されている。Ｏリング溝２８Ｄに嵌合支持されたＯリング２８Ｃは、前記弁座部２４Ｂに当接することで、内部流路２４Ａ内の水の流れを止めるようになっている。大径挿入部２８Ｂには、可動ピストン２９が斜めから挿入されるピストン孔２８Ｅが形成されている。可動ピストン２９がピストン支持筒２４Ｃ内で押し込まれると、その先端がピストン孔２８Ｅ内において斜め下方向へ移動して止水ピストン２８が下方へ押し下げられ、Ｏリング２８Ｃが弁座部２４Ｂから離れて水が流れるようになっている。なお、止水ピストン２８の小径挿入部２８Ａは断面形状が十字状に形成され、大径挿入部２８Ｂは断面形状がほぼ楕円状に形成され、水はこれらと内部流路２４Ａとの隙間を流れるようになっている。
【００２６】
可動ピストン２９は、図４及び図９に示すように、レバー２５の内側面に当接して押される頭部２９Ａと、ピストン支持筒２４Ｃ内に挿入されて摺動可能に支持される胴体部２９Ｂと、この胴体部２９Ｂのほぼ中央に設けられたＯリング溝２９Ｃとから構成されている。Ｏリング溝２９ＣにはＯリング３０が装着され、ピストン支持筒２４Ｃの内周面に当接して前記内部流路２４Ａを水密にシールしている。胴体部２９Ｂの先端部は、円錐状の傾斜が設けられている。この傾斜角度は可動ピストン２９と止水ピストン２８とのなす角に合わせて設定され、胴体部２９Ｂの先端部が斜め方向から止水ピストン２８のピストン孔２８Ｅ内に押し込まれたときに、その先端部がピストン孔２８Ｅの内周面と整合するようになっている。頭部２９Ａは半球状に形成されている。これは、レバー２５の頭部受け面２５Ｃ（図６参照）と当接した状態でレバー２５を引くときのずれを吸収して、可動ピストン２９を軸芯方向に押圧できるようにするためである。このため、頭部受け面２５Ｃも窪んだ円形状に形成されている。
【００２７】
なお、前記止水ピストン２８と可動ピストン２９とで、散水部２３への水の供給量を調整する調整弁が構成されている。
【００２８】
ストッパ３１は、図４、図５、図１０及び図１１に示すように、取っ手本体２４の支持板２４Ｄに回動可能に取り付けられ、一定角度だけ引かれたレバー２５をその状態で維持するときに用いるものである。ストッパ３１は、取っ手本体２４の支持板２４Ｄに設けられたストッパ支持孔２４Ｆに嵌合してストッパ３１自身を回動可能に支持される回動支持軸３１Ａと、この回動支持軸３１Ａと並行に配設され長孔２４Ｇに嵌合してこの長孔２４Ｇの長さの分だけストッパ３１の回動を許容すると共に両端部を手で持ってレバー２５のストッパ受け２５Ｂに引っ掛ける切欠き嵌合軸３１Ｂと、前記回動支持軸３１Ａから前記切欠き嵌合軸３１Ｂと逆方向に延出して配設された板バネ部３１Ｃとから構成されている。回動支持軸３１Ａと切欠き嵌合軸３１Ｂとの間には、これを一定間隔をおいて支持する支持棒部３１Ｄと補強板部３１Ｅが設けられている。切欠き嵌合軸３１Ｂの両端には、２つの長孔２４Ｇからそれぞれ両側外部に延出され手で持つことができるように拡径しかつ外側面を傾斜させた拡径部３１Ｆが形成されている。板バネ部３１Ｃは、回動支持軸３１Ａや切欠き嵌合軸３１Ｂ等と一体的成形されている。この板バネ部３１Ｃの側面形状はほぼＶ字型になっている。この板バネ部３１Ｃは、合成樹脂の持つ弾性を利用してバネとしての機能を持たせている。このストッパ３１は、回動支持軸３１Ａがストッパ支持孔２４Ｆに回動可能に嵌合して板バネ部３１Ｃの先端が散水部２３の本体部３５側に当接した状態で、この板バネ部３１Ｃによって切欠き嵌合軸３１Ｂが上方（散水部２３の本体部３５側）へ付勢されている。なお、切欠き嵌合軸３１Ｂをストッパ受け２５Ｂに嵌合させるときは、板バネ部３１Ｃに付勢力に抗して押し下げることになる。
【００２９】
散水部２３は、噴射する水を、拡散、ストレート、シャワー等の各種の散水状態にするためのものである。この散水部２３は、図４に示すように、本体部３５と噴射ノズル３６と回転ヘッド３７とシャワーヘッド３８とから構成されている。
【００３０】
本体部３５は、図４及び図５に示すように、取っ手部２２と一体的に成形された円筒体によって構成されている。本体部３５の一端（図中の右側端部）は塞がれており、他端は開口している。この開口縁部の下方には、噴射ノズルと本体部との間に、これらを相互に取り付ける際に正確な位置決めを行う位置決め用嵌合部としての位置決め用切欠き４０が設けられている。この位置決め用切欠き４０は、後述する噴射ノズル３６の位置決め用嵌合凸部５０が嵌合することで、この噴射ノズル３６が本体部３５に対して正確に位置決めされる。
【００３１】
噴射ノズル３６は、図４、図１２、図１３及び図１４に示すように、本体部側嵌合部４５と回転ヘッド側嵌合部４６とノズル先端部４７とから構成されている。本体部側嵌合部４５は、本体部３５の内径とほぼ同じ寸法の外径に形成された挿入筒部４８と、本体部３５の外径と同じ寸法の外径に形成され挿入筒部４８が本体部３５の開口縁部から内部に圧入された状態で開口縁部に当接するフランジ部４９と、このフランジ部４９に一体的に形成され本体部３５の位置決め用切欠き４０に嵌合して正確な位置決めがなされる位置決め用嵌合部としての位置決め用嵌合凸部５０とから構成されている。回転ヘッド側嵌合部４６は、筒体で構成され、回転ヘッド３７内に挿入される。回転ヘッド側嵌合部４６の外周には、雄ねじ５１が設けられ、この雄ねじ５１に回転ヘッド３７が螺合するようになっている。雄ねじ５１の基端部（フランジ部４９側の端部）にはＯリング溝５２が設けられている。このＯリング溝５２に取り付けられるＯリング５３は、噴射ノズル３６と回転ヘッド３７との間を水密にシールした状態で、噴射ノズル３６と回転ヘッド３７との相対的な回転及びそれに伴う前後への相対的な移動を許容している。
【００３２】
ノズル先端部４７は、回転ヘッド側嵌合部４６を大幅に縮径した円筒体で構成されている。このノズル先端部４７の先端には、この部分をさらに縮径して形成され、シャワーヘッド３８の噴射口６８に挿入される噴射突起部４７Ａが形成されている。この噴射突起部４７Ａには、水を霧状にして噴射させるための噴霧孔５４が形成されている。この噴霧孔５４の上流側には、後述するミストキャップ５７によって形成された渦流をその状態を保ったまま噴霧孔５４に導くためのテーパ状導入口５５が形成されている。さらに噴霧孔５４の下流側には、渦流のまま噴霧孔５４に流入した水を、その渦流を保ったまま霧状に噴射させるためのテーパ状噴射口５６が形成されている。この噴霧孔５４の部分は、ノズル先端部４７を縮径して形成され、そのテーパ状段部４７Ｂは、シャワーヘッド３８の噴射口６８の内側に当接することで、ノズル先端部４７とスリーブ６７との間の水の流れを遮断できるようになっている。噴射突起部４７Ａの先端には拡散用フランジ部４７Ｃが形成されている。この拡散用フランジ部４７Ｃは、噴射突起部４７Ａの先端部を拡径して形成され、噴射突起部４７Ａがシャワーヘッド３８の噴射口６８に挿入された状態で、この部分を通過して噴射される水が周囲に拡散されるようになっている。
【００３３】
テーパ状導入口５５の上流側には、図１４、図１５及び図１６に示すように、ミストキャップ５７が取り付けられている。このミストキャップ５７は、圧肉の円盤状に形成され、その外周面に渦流を作るための斜め溝５８が形成されている。この斜め溝５８は、対向して２つ設けられ、外周面において同じ方向に傾斜させて切り欠いた溝によって構成されている。このミストキャップ５７は、ノズル先端部４７内において、上流側から水圧がかかる方向（水の流れの方向である下流方向）に沿って、テーパ状導入口５５に面する位置まで圧入されている。ノズル先端部４７のうち、ミストキャップ５７の配設位置の上流位置には、外部に水を流す連通孔５９が設けられている。
【００３４】
回転ヘッド３７は、図１、図４及び図１７に示すように、噴射ノズル３６の回転ヘッド側嵌合部４６に螺合して全体を支持する支持筒部６０と、先端に取り付けられるシャワーヘッド３８全体に水を供給するためのヘッド室６１とから構成されている。支持筒部６０は、噴射ノズル３６の回転ヘッド側嵌合部４６よりも僅かに大きい程度の内径を有する円筒体で形成され、その内側に、回転ヘッド側嵌合部４６の雄ねじ５１に螺合するねじ山６２が形成されている。このねじ山６２は、１２０度間隔で３分割して成形され、各ねじ山６２が２列以上に重ならないようになっている。これにより、回転ヘッド３７が型成形されるときに、支持筒部６０の軸芯方向にのみ移動する型によって成形できるように、即ち型を回転しないで往復動作のみで成形できるようになっている。ヘッド室６１の先端開口部の外周面には、シャワーヘッド３８が螺合するねじ部６３が設けられている。
【００３５】
シャワーヘッド３８は、図１８に示すように、ヘッド室６１内に溜まった水をシャワー状に噴射させるための多数の小孔を設けた散水板６５と、この散水板６５の外周に一体成形され前記ヘッド室６１のねじ部６３に螺合してシャワーヘッド３８を回転ヘッド３７に固定する固定リング６６と、散水板６５の中央部の内側に一体成形され前記噴射ノズル３６のノズル先端部４７を内部に挿入するスリーブ６７とから構成されている。散水板６５の中央部には、スリーブ６７と連通して水を噴射させるた噴射口６８が設けられている。この噴射口６８の内周縁部の内側と外側には、水の流れを整えるためのテーパが設けられている。スリーブ６７の内側端部（図１中の右側端部）には、Ｏリング６９，７０を隣接して２つ設けるための二筋のＯリング溝７１が形成されている。このＯリング溝７１に装着されたＯリング６９，７０は、ノズル先端部４７の連通孔５９と整合したときに、この連通孔５９を完全に塞ぐことができる程度の幅に配設されている。スリーブ６７の端部には、Ｏリング溝７１に装着されたＯリング６９，７０を外側から支持してリングキャップ７２が取り付けられている。
【００３６】
なお、図１９及び図２０の７３は回転ヘッド３７にシャワーヘッド３８が螺合して固定された状態で、これらを覆うヘッドカバーである。このヘッドカバー７３は、柔軟性のあるゴム等によって構成されている。ヘッドカバー７３の内周面は、回転ヘッド３７及びシャワーヘッド３８に整合するように段差を付けて形成されている。
【００３７】
［作用］
以上のように構成された散水装置２１は、一端を蛇口に接続されたホースの他端を、グリップキャップ２６のホース側圧入部２６Ａに圧入してホースと接続する。この状態で蛇口を空けて水を散水装置２１内に供給する。供給された水は、レバー２５が引かれていない状態で止水ピストン２８まで供給される。レバー２５が引かれ、可動ピストン２９を介して止水ピストン２８が空けられると、水は内部流路２４Ａから散水部２３の本体部３５内に流入し、噴射ノズル３６のノズル先端部４７内を通ってその先端部まで供給される。
【００３８】
このとき、回転ヘッド３７を回して図２１（Ａ）の噴霧状態に調整されると、ノズル先端部４７の連通孔５９はＯリング６９，７０で塞がれることはなく、ノズル先端部４７とスリーブ６７との間に解放されているが、ノズル先端部４７のテーパ状段部４７Ｂがシャワーヘッド３８の噴射口６８の内側に当接してこの部分を塞いでいるので、そこでの水の流れは許容されず、噴霧孔５４からのみ水が噴射される。ノズル先端部４７内の水は、ミストキャップ５７を通過して渦流になり、テーパ状導入口５５から噴霧孔５４に導かれ、テーパ状噴射口５６から霧状に噴射される。
【００３９】
回転ヘッド３７を回して図２１（Ｂ）の拡散状態にされると、ノズル先端部４７の連通孔５９はＯリング６９，７０で塞がれることはなく、ノズル先端部４７とスリーブ６７との間に解放される。さらに、ノズル先端部４７のテーパ状段部４７Ｂとシャワーヘッド３８の噴射口６８との間も解放される。これにより、ノズル先端部４７内の水は、噴霧孔５４から噴射されると共に、テーパ状段部４７Ｂと噴射口６８との間からも噴射される。このとき、噴霧孔５４からの噴射量は噴射口６８からの噴射量よりも遙かに多く、噴射口６８から噴射する水は、噴射突起部４７Ａの拡散用フランジ部４７Ｃで周囲に広げられ、拡散状態になる。
【００４０】
回転ヘッド３７を回して図２１（Ｃ）のストレート状態にされると、ノズル先端部４７の連通孔５９はＯリング６９，７０で塞がれず、解放されている。さらに、ノズル先端部４７の噴射突起部４７Ａはシャワーヘッド３８の噴射口６８から抜けて、この噴射口６８が大きく解放される。これにより、ノズル先端部４７内の水は、テーパ状段部４７Ｂと噴射口６８との間を介して噴射口６８から多量に噴射する。このとき噴射する水は拡散用フランジ部４７Ｃで広げられることもないため、そのままストレート状態になる。
【００４１】
回転ヘッド３７を回して図２１（Ｄ）のシャワー状態にされると、ノズル先端部４７の連通孔５９はＯリング６９，７０で塞がれず、回転ヘッド３７のヘッド室６１に解放されている。これにより、ノズル先端部４７内の水は、ヘッド室６１内に充満し、シャワーヘッド３８の散水板６５からシャワー状に噴射する。
【００４２】
また、水を出し続けるときには、ストッパ３１でレバー２５を固定する。具体的には、レバー２５を引いて、ストッパ３１の拡径部３１Ｆを持って下方に押し下げる。この状態でレバー２５を緩めると、レバー２５のストッパ受け２５Ｂにストッパ３１の切欠き嵌合軸３１Ｂが嵌合し、レバー２５が固定される。これにより、レバー２５を手で持たなくても、水が各種の散水状態で連続的に噴射される。
【００４３】
［効果］
以上のように構成された散水装置２１では、回転ヘッド３７の内周面のねじ山６２を、２列以上に重ならないように、３６０度以内で３分割して成形したので、回転ヘッド３７を型成形する際に、型を回転させる必要がなくなる。これにより、組立行程の簡素化を図ることができ、コスト低減を図ることができる。
【００４４】
また、本体部３５と噴射ノズル３６との間に決め用嵌合部としての切欠き４０と嵌合凸部５０を設けたので、本体部３５と噴射ノズル３６とを相互に取り付ける際に容易に正確な位置決めを行うことができ、位置決め作業が簡素化して組立作業性を向上させることができる。この結果、コスト低減を図ることができる。
【００４５】
さらに、板バネ部３１Ｃを回動支持軸３１Ａに一体成形したので、部品点数及び組立工数を減らすことができ、コスト低減を図ることができる。
【００４６】
［変形例］
（１）  前記実施形態では、回転ヘッド３７の支持筒部６０の内側面に設けられるねじ山６２を１２０度毎に３箇所で分割したが、１又は２カ所で分割しても、また４カ所以上で分割してもよい。
【図面の簡単な説明】
【００４７】
【図１】本発明に係る散水装置の回転ヘッドを示す側面断面図である。
【図２】従来の散水装置を示す側面図である。
【図３】従来の散水装置の回転ヘッドを示す側面断面図である。
【図４】本発明に係る散水装置を示す側面断面図である。
【図５】取っ手本体を示す側面断面図である。
【図６】レバーを示す側面断面図である。
【図７】止水ピストンを示す側面図である。
【図８】止水ピストンを示す平面図である。
【図９】可動ピストンを示す側面図である。
【図１０】ストッパを示す側面図である。
【図１１】ストッパを示す平面図である。
【図１２】噴射ノズルを示す側面図である。
【図１３】噴射ノズルを示す側面断面図である。
【図１４】噴射ノズルの先端部を示す要部拡大断面図である。
【図１５】ミストキャップを示す側面図である。
【図１６】ミストキャップを示す平面図である。
【図１７】回転ヘッドを示す平面図である。
【図１８】散水部の先端部分を示す要部拡大断面図である。
【図１９】ヘッドカバーを示す側面図である。
【図２０】ヘッドカバーを示す側面断面図である。
【図２１】各散水状態での噴射ノズルと回転ヘッドとシャワーヘッドとの相対位置関係を示す側面断面図である。
【符号の説明】
【００４８】
２１：散水装置、２２：取っ手部、２３：散水部、２４：取っ手本体、２５：レバー、２８：止水ピストン、２９：可動ピストン、３１：ストッパ、３１Ａ：回動支持軸、３１Ｂ：切欠き嵌合軸，３１Ｃ：板バネ部、３６：噴射ノズル、３７：回転ヘッド、３８：シャワーヘッド、４０：位置決め用切欠き、４７：ノズル先端部、５０：位置決め用嵌合凸部、５４：噴霧孔、５５：テーパ状導入口、５６：テーパ状噴射口、５７：ミストキャップ、５９：連通孔、６１：ヘッド室、６２：ねじ山、６５：散水板、６６：固定リング、６７：スリーブ、６８：噴射口、７３：ヘッドカバー。
【図１】
2006315006.tif 000003
【図２】
2006315006.tif 000004
【図３】
2006315006.tif 000005
【図４】
2006315006.tif 000006
【図５】
2006315006.tif 000007
【図６】
2006315006.tif 000008
【図７】
2006315006.tif 000009
【図８】
2006315006.tif 000010
【図９】
2006315006.tif 000011
【図１０】
2006315006.tif 000012
【図１１】
2006315006.tif 000013
【図１２】
2006315006.tif 000014
【図１３】
2006315006.tif 000015
【図１４】
2006315006.tif 000016
【図１５】
2006315006.tif 000017
【図１６】
2006315006.tif 000018
【図１７】
2006315006.tif 000019
【図１８】
2006315006.tif 000020
【図１９】
2006315006.tif 000021
【図２０】
2006315006.tif 000022
【図２１】
2006315006.tif 000023